(57)【要約】【課題】異物の挿入による下パネルの取り外しを防止し、不正行為の発生を抑制可能な遊技機を提供する。【解決手段】スロットマシン１は、フロントドア１０のパネル部１１に下パネル３０を備える。下パネル３０は、外パネル３１とこの裏面に装着される内パネル４０を有する。外パネル３１の周囲に突出板３３を設け、内パネル４０の上端部に突出板３３より下方に位置する第１係止部４３を設け、両パネル３１，４０の下端部に第２係止部３４，４４を設け、パネル部１１の表面に取付凹部５０を設け、この下端部に開口部５１を設け、取付凹部５０の上部に段部５２を設け、この先端部に係合部５３を設ける。第２係止部３４，４４を開口部５１に挿入して下パネル３０の上側をパネル部側に移動すると、突出板３３の先端部が段部５２に対向した近接位置に移動し、第１係止部４３が係合部５３に係止されて、下パネル３０が取付凹部５０に取り付けられる。【選択図】図５
2008237513.tif 000002
【特許請求の範囲】
【請求項１】
遊技者に面するフロントドアのパネル部の表面側に下パネルを取り付けた遊技機の下パネル取付け構造であって、
前記下パネルの一方側端部にパネル部側に向かって突出する突出板を設け、
前記突出板より内側の前記下パネルの一方側端部にパネル部側に向かって突出して係止可能な第１係止部を設け、
前記下パネルの他方側端部にパネル部側に向かって突出して係止可能な第２係止部を設け、
前記パネル部の表面側に前記下パネルを取り付ける取付凹部を設け、
前記取付凹部の他方側に前記第２係止部を挿入するための開口部を設け、
前記取付凹部内の一方側に取付凹部内側方向に延びる段部を設け、
前記段部の先端部に前記第１係止部を係止する係合部を設け、
前記第２係止部を前記開口部に挿入させて前記下パネルの一方側を前記パネル部側に向かって移動させると、前記突出板の先端部が前記段部に対向する位置に移動すると共に、前記第１係止部が前記係合部に係止されることを特徴とする遊技機の下パネル取付け構造。
【請求項２】
前記下パネルは、外パネルと該外パネルの裏面側に着脱可能に重ね合わされて固定される内パネルを有し、
前記外パネルの一端側端部に前記突出板が設けられ、
前記内パネルの一端側端部に前記第１係止部が設けられ、
前記外パネル及び前記内パネルの他端側端部に前記第２係止部が設けられることを特徴とする請求項１に記載の遊技機の下パネル取付け構造。
【発明の詳細な説明】
【技術分野】
【０００１】
本発明は、フロントドアのパネル部に取り付けられた下パネルの周囲の隙間からの異物の挿入によって下パネルが取り外されて遊技機本体内への不正行為を防止可能な遊技機の下パネル取付け構造に関する。
【背景技術】
【０００２】
従来の遊技機の一例であるスロットマシンは、特許文献１に記載されているように、フロントドアのパネル部の下部に本スロットマシンのゲーム内容を紹介等するための絵が描かれた下パネルを備えている。この下パネル７２は、図６（分解斜視図）に示すように、これをフロントドア７０のパネル部７１に固定するために、その上端部に位置してパネル部側に突出する係止可能な第１係止部７３と、下パネル７２の下端部に位置してパネル部側に突出して掛止可能な第２係止部（図示せず）を備えている。
【０００３】
そして、パネル部７１の下部には、下パネル７２を取り付ける取付凹部７５が形成され、この取付凹部７５の上部には、第１係止部７３を挿入するために表面側に向かって開口する係止開口部（図示せず）が設けられ、取付凹部７５の下方のパネル部前面には第２係止部を掛止可能な掛止開口部７６が設けられている。
【０００４】
【特許文献１】特開２０００−２４５８９３号公報
【発明の開示】
【発明が解決しようとする課題】
【０００５】
この従来のスロットマシンでは、係止開口部の縦方向寸法が、取付作業のし易さや寸法精度の許容誤差等を考慮して、第１係止部７３の縦方向寸法よりも大きく設定され、また下パネル７２の縦方向寸法が取付凹部７５の縦方向寸法よりも大きく設定されている。このため、掛止開口部７６に第２係止部を掛止し、係止開口部に第１係止部７３を挿入して下パネル７２を取付凹部７５に取り付けると、下パネル７２と取付凹部７５との間及び係止開口部と第１係止部７３との間に隙間が生じる。
【０００６】
これらの隙間に、針等のワイヤー状のものや棒状のものが差し込まれると、第１係止部７３の係止状態が解除されて下パネル７２が取り外され、取付凹部７５に開口するハーネス等を通す孔から棒状部材等がスロットマシンの筐体内に差し込まれて不正行為が行われ易いとい問題があった。
【０００７】
本発明は、このような問題に鑑みてなれたものであり、下パネルの周囲の隙間から異物が挿入されて下パネルが取り外されるのを防止して、取付凹部の孔から不正行為が行われることのない遊技機を提供することを目的とする。
【課題を解決するための手段】
【０００８】
このような課題を解決するため、本発明は、以下の特徴を有する。特徴の一つは、遊技者に面するフロントドアのパネル部の表面側に下パネルを取り付けた遊技機の下パネル取付け構造であって、下パネルの一方側端部にパネル部側に向かって突出する突出板を設け、突出板より内側の下パネルの一方側端部にパネル部側に向かって突出して係止可能な第１係止部を設け、下パネルの他方側端部にパネル部側に向かって突出して係止可能な第２係止部を設け、パネル部の表面側に下パネルを取り付ける取付凹部を設け、取付凹部の他方側に第２係止部を挿入するための開口部を設け、取付凹部内の一方側に取付凹部内側方向に延びる段部を設け、段部の先端部に第１係止部を係止する係合部を設け、第２係止部を開口部に挿入させて下パネルの一方側をパネル部側に向かって移動させると、突出板の先端部が段部に対向する位置に移動すると共に、第１係止部が係合部に係止されることを特徴とする。
【０００９】
この特徴によれば、第２係止部を開口部に挿入して下パネルの一方側をパネル部側に向かって移動すると、突出板の先端部が段部に対向する位置に移動すると共に、第１係止部が係合部に係止されることにより、突出板と取付凹部との間の隙間から棒状部材等が差し込まれても、段部によってその差し込み途中で阻止される。このため棒状部材等によって突出板よりも取付凹部内側に配置された第１係止部の係止状態を解除することはできない。その結果、下パネルが取付凹部から取り外される虞がなくなり、取付凹部に開口するハーネス等を通す孔から棒状部材等が遊技機本体内に差し込まれて不正行為が行われ事態を防止することができる。
【００１０】
また特徴の一つは、下パネルは、外パネルと該外パネルの裏面側に着脱可能に重ね合わされて固定される内パネルを有し、外パネルの一端側端部に突出板が設けられ、内パネルの一端側端部に第１係止部が設けられ、外パネル及び内パネルの他端側端部に第２係止部が設けられることを特徴とする。
【００１１】
この特徴によれば、下パネルは、外パネルとこの裏面側に着脱可能に重ね合わされて固定される内パネルを有し、外パネルの一端側端部に突出板を設け、内パネルの一端側端部に第１係止部を設け、外パネル及び内パネルの他端側端部に第２係止部を設けることで、一枚のパネルに突出板と第１係止部を設けた下パネルを樹脂等で一体成型する場合と比較して、下パネルの製造が容易になり、下パネルの生産性を向上することができる。
【発明の効果】
【００１２】
本発明に係わる遊技機によれば、上記特徴を有することによって、下パネルの周囲の隙間から異物が挿入されて下パネルが取り外されるのを防止して、取付凹部の孔から不正行為が行われることのない遊技機を提供することができる。
【発明を実施するための最良の形態】
【００１３】
以下、本発明に係わる遊技機の好ましい実施の形態を図１から図５に基づいて説明する。本実施の形態は、遊技機の一例であるスロットマシンについて説明する。
【００１４】
スロットマシン１は、図１（正面図）及び図２（内部構造図）に示すように、遊技者に面するフロントドア１０と、フロントドア１０を開閉自在に取り付けた筐体６０とを有して構成される。フロントドア１０は、機械的に強固な硬質プラスチック製のパネル部１１に矩形状の枠組み１３を取り付けて構成されている。
【００１５】
枠組み１３は、パネル部１１内の左右両側の側壁１１ａ，１１ｂに沿って取り付けられた一対の縦フレーム１４，１５と、パネル部１１の上壁１１ｃの内側に沿ってパネル部幅方向に延びる横フレーム１６とを有してなる。右側の側壁１１ｂに沿って取り付けられた縦フレーム１５に施錠装置ユニット１８が取り付けられている。
【００１６】
パネル部１１の上部には、演出用の上部ランプ１１ｄ、スピーカを備えた放音部１１ｅ，１１ｆ、液晶ディスプレイ等を有した演出表示装置１１ｇが配設されている。そして、パネル部１１の中間部には、透明な硬質プラスチック板で形成された略長方形状の透過窓ＷＤと演出用ランプ１１ｈ，１１ｉが設けられ、筐体６０内に設けられたリール装置６１のリールＲ１、Ｒ２、Ｒ３を、遊技者が透過窓ＷＤを介して見ることが可能となっている。
【００１７】
パネル部１１の中間部の下側には、遊技者が操作するための操作パネル部２０が設けられ、この操作パネル部２０には各種のボタン等（メダル投入部ＭＤ、ベットボタンＢ、スタートレバーＳＴ、ストップボタンＳＰ１，ＳＰ２，ＳＰ３）が設けられている。
【００１８】
操作パネル部２０の右端には、フロントドア１０を開錠するための鍵穴ＫＹが設けられ、鍵穴ＫＹに正規の鍵を挿入して開錠操作すると、フロントドア１０を筐体６０から開くことが可能となっている。また、操作パネル部２０の左端には、精算ボタンＭＲが設けられ、ゲームに賭けたメダルの払い出しを指示すると共に、メダルクレジット手段（図示せず）が内部保留したメダルの払い出しの指示が可能になっている。
【００１９】
パネル部１１の下部には、本スロットマシン１のゲーム内容を紹介等するための絵（図示略）が描かれた下パネル３０が設けられ、下パネル３０の左右方向両外側のパネル部１１には演出用ランプ２２，２２が設けられている。なお、下パネル３０の取り付け構造については後述する。下パネル３０の下方には、遊技メダルを払い出すための排出口１１ｊ、メダル受皿１１ｋ、放音部１１ｍが設けられている。
【００２０】
フロントドア１０の裏面側の上部には、前述した放音部１１ｅ，１１ｆのスピーカＳＲ，ＳＬが設けられ、スピーカＳＲ，ＳＬの間には前述した演出表示装置１１ｇが設けられている。演出表示装置１１ｇの下方には、透過窓ＷＤを形成する略長方形状の枠体１９が取り付けられており、この枠体１９の下方には、メダル投入部ＭＤより投入された投入物が正規の遊技メダルか否かを判別して振り分けるセレクト機構Ｇ０と、セレクト機構Ｇ０で振り分けられた遊技メダルを筐体６０側に設けられたホッパ装置ＨＰへ案内するガイド部材Ｇ１と、セレクト機構Ｇ０で振り分けられた異物を排出口１１ｊへ案内するガイド部材Ｇ２と、ホッパ装置ＨＰから出力される払い出し用のメダルを排出口１１ｊへ案内するガイド部材Ｇ３とが設けられている。排出口１１ｊの近傍には、前述した放音部１１ｍを構成するスピーカＳＷが取り付けられている。
【００２１】
枠体１９とセレクト機構Ｇ０との間には、長尺状の電気回路基板で形成された中央表示基板２１が取り付けられ、この中央表示基板２１には、前述した操作パネル部２０に設けられているベットボタンＢと、スタートレバーＳＴと、ストップボタンＳＰ１，ＳＰ２，ＳＰ３等が電気的に配線接続されている。これらのボタンＢ，ＳＴ，ＳＰ１，ＳＰ２，ＳＰ３の出力信号はハーネスを介して筐体６０に設けられたメイン制御基板２４に転送される。
【００２２】
筐体６０内には、主電源装置ＰＷＵと、ホッパ装置ＨＰから溢れた遊技メダルを収容する補助貯留部ＳＨＰが設けられる他、前述したリール装置６１が設けられている。主電源装置ＰＷＵの側面には電源装置基板２５が取り付けられ、リール装置６１の上端には回胴装置基板２６が取り付けられ、リール装置６１の上方には前述したメイン制御基板２４が取り付けられている。メイン制御基板２４は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板２５、回胴装置基板２６及び後述するサブ制御基板１７に所定の指令を行って夫々に分散制御を行わせることにより、本スロットマシン１全体を集中制御する。
【００２３】
演出表示装置１１ｇの裏面側には、電気回路基板で形成されたサブ制御基板１７が設けられている。このサブ制御基板１７は、演出表示装置１１ｇによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板１７は、メイン制御基板２４からの制御信号に従って、上部ランプ１１ｄ，演出用ランプ１１ｈ，１１ｉ，２２とスピーカＳＲ，ＳＬ，ＳＷを駆動して遊技者の視覚及び聴覚に訴える演出を行うと共に、演出表示装置１１ｇを制御して遊技内容に応じた演出表示を行わせる。
【００２４】
このサブ制御基板１７は、不正行為を防止するための基板ケース２７内に収容されており、この基板ケース２７ごと一体として演出表示装置１１ｇの裏面側に着脱可能に取り付けられている。
【００２５】
パネル部１１の下部に設けられた下パネル３０は、図３（分解斜視図）に示すように、パネル部１１の下部に形成された取付凹部５０に取り付けられ、外パネル３１と外パネル３１の裏面側に重ね合わされて固定される内パネル４０とを有して構成される。外パネル３１と内パネル４０との間には、絵が描かれたデザインシートが挟装される。下パネル３０は、取付凹部５０内に取り付けられるプリント基板６３に実装された複数のＬＥＤ６４からの光を透過可能な透明な合成樹脂材料で一体成型されている。
【００２６】
下パネル３０の外パネル３１と内パネル４０は、図４（ａ）（背面側斜視図）、図４（ｂ）（背面側分解斜視図）、図５（断面図）に示すように、正面視において矩形状をなし、外パネル３１と内パネル４０は相似形である。外パネル３１は取付凹部５０を覆う板状の外パネル本体部３２を有し、外パネル本体部３２の周囲にはパネル部側に向かって突出する突出板３３が設けられている。外パネル３１の下側の突出板３３のパネル部側端部には左右方向に所定間隔を有して配置されて下方に延びて係止可能な板状の第２係止部３４が複数設けられている。
【００２７】
内パネル４０は取付凹部５０を覆う板状の内パネル本体部４１を有し、内パネル本体部４１の周囲にはパネル部側に向かって突出する突出板４２が設けられている。内パネル４０の上側の突出板４２の左右方向の略中央部には、パネル部側に向かって突出して係止可能な第１係止部４３が設けられ、この第１係止部４３は、外パネル３１に内パネル４０が重ね合わされた状態で外パネル３１の上端部に設けられた突出板３３より内側（下側）の近接位置に設けられている。第１係止部４３は、内パネル本体部４１から延びるアーム部４３ａとアーム部４３ａの先端部に設けられて上方側へ突出する係止突起部４３ｂとを有してなり、アーム部４３ａは基端側が片持ち支持された状態でアーム部４３ａの先端側が上下方向に弾性変形可能である。第１係止部４３は、内パネル４０を外パネル３１の裏面側に装着した状態において突出板３３，４２の先端部よりもパネル部側に延出している。
【００２８】
内パネル４０の下側の突出板４２のパネル部側端部には左右方向に所定間隔を有して配置されて下方に延びて係止可能な板状の第２係止部４４が複数設けられている。これらの第２係止部４４は、内パネル４０を外パネル３１の裏面側に装着すると、外パネル３１の対応する第２係止部３４と略一致して重なるように位置している。内パネル本体部４１の裏面側上部の左右両端部にはパネル部側に延びる固定部材４５が設けられている。固定部材４５は第１係止部４３よりもパネル部側へ延び、先端部には雌ねじが設けられている。
【００２９】
このように構成された下パネル３０を取り付ける取付凹部５０下側の表面側には、図３及び図５に示すように、第２係止部３４，４４を挿入するための開口部５１が左右方向（取付凹部幅方向）に所定間隔を有して複数設けられている。これらの開口部５１の前後方向の寸法は、第２係止部３４，４４のそれより僅かに大きく設定されている。
【００３０】
また取付凹部５０内の上端部の左右方向略中央部には取付凹部下側へ延びる段部５２が設けられている。この段部５２の先端部には前後方向に延びる係合部５３が設けられ、係合部５３の後側端部に第１係止部４３の係止突起部４３ｂが係止される。段部５２の後方側には第１係止部４３を挿入可能であって上部が開口する挿入孔部４６が設けられている。
【００３１】
取付凹部５０は、第２係止部３４，４４を開口部５１に挿入させて下パネル３０の上側をパネル部側に向かって移動させると、上側の突出板３３の先端部が段部５２に対向した近接位置に移動すると共に、第１係止部４３の係止突起部４３ｂが係合部５３に係止される。また、取付凹部５０の左右両端部の上側には、固定部材４５を挿通するための挿通孔５５が設けられ、この挿通孔５５から延出する固定部材４５の先端部に手動操作可能な止めねじ（図示せず）を螺合することによって、下パネル３０を取付凹部５０に固定することができる。また、取付凹部５０には、図示しないハーネスを通すための挿通孔が設けられている。
【００３２】
このように構成された下パネル３０を取付凹部５０に取り付ける場合には、内パネル４０の内パネル本体部４１の表面が外パネル３１の外パネル本体部３２の裏面に接するように外パネル３１の裏側に内パネル４０を重ね合わせて両パネルを一体化する。このとき、両パネル本体部間にデザインシートを挟み込んでおく。そして、一体化された下パネル３０の第２係止部３４，４４を取付凹部５０の下側の開口部５１に挿入し、下パネル３０の上側を取付凹部側に向かって移動させると、下パネル３０は開口部５１に挿入された第２係止部３４，４４を回動支点として下パネル上側が取付凹部側に移動する。そして、上端部に位置する突出板３３が取付凹部５０内に挿入されて、この突出板３３の先端部が段部５２に対向した近接位置に移動する。また第１係止部４３の係止突起部４３ｂが係合部５３に係止され、固定部材４５の先端側が挿通孔５５を挿通する。そして、止めねじを固定部材４５の先端部に螺合して下パネル３０を取付凹部５０に固定する。なお、下パネル３０を取付凹部５０から取り外すには、止めねじを固定部材４５から脱着し、第１係止部４３の係止状態を挿入孔部４６から解除し、固定部材４５を介して下パネル３０を前側に押圧することで、下パネル３０が取付凹部５０から取り外される。
【００３３】
ここで、下パネル３０が取付凹部５０に取り付けられると、上端部に設けられた突出板３３の先端部が段部５２に対向した近接位置に移動するので、突出板３３と取付凹部５０との間の隙間から棒状部材等が差し込まれても、段部５２にその差し込みが途中で阻止される。また、係止状態にある第１係止部４３は、段部５２よりも取付凹部内側（下方）に位置しているので、段部５２によって差し込みが阻止された棒状部材等が第１係止部４３に届く虞はなく、棒状部材等によって第１係止部４３の係止状態が解除されることはない。また第２係止部３４，４４は、外パネル３１の第２係止部３４と内パネル４０の第２係止部４４が重なりあって形成されているので、その強度は強化されている。このため、第２係止部３４，４４と取付凹部５０との間の隙間に棒状部材等を差し込んでも第２係止部３４，４４は容易に変形することはなく、第２係止部３４，４４の係止状態を解除することもできない。その結果、下パネル３０が取付凹部５０から取り外される虞はなく、取付凹部５０に開口するハーネス等を通す孔から棒状部材等が筐体６０内に差し込まれて不正行為が行われ事態を防止することができる。
【００３４】
なお、前述した実施形態では、下パネル３０を取り付ける第１係止部４３、第２係止部３４，４４、開口部５１等を上下方向に配置したが、これらを左右方向に配置してもよい。また下パネル３０を外パネル３１と内パネル４０の２つの部材で構成したが、製造可能であれば、これらのパネルを一つにして構成してもよい。また前述した実施例では、スロットマシン１を例にしたが、パチンコやゲームセンタで用いられているゲーム機などを対象にしてもよい。
【図面の簡単な説明】
【００３５】
【図１】本発明の一実施の形態に係わる下パネル取付け構造を備えたスロットマシンの正面図を示す。
【図２】この下パネル取付け構造を備えたスロットマシンのフロントドアを開けた状態におけるフロントドア及び筐体の内部構造図を示す。
【図３】フロントドアに設けられた取付凹部に取り付けられる下パネルの表面側分解斜視図を示す。
【図４】下パネルを示し、同図（ａ）は下パネルの裏面側の組立斜視図であり、同図（ｂ）は下パネルの裏面側の分解斜視図である。
【図５】取付凹部に取り付けられる下パネルの断面図を示す。
【図６】従来のスロットマシンのフロントドアの分解斜視図を示す。
【符号の説明】
【００３６】
１  スロットマシン（遊技機）
１０  フロントドア
１１  パネル部
３０  下パネル
３１  外パネル
３３  突出板
４０  内パネル
４３  第１係止部
４４  第２係止部
５０  取付凹部
５１  開口部
５２  段部
５３  係合部
【図１】
2008237513.tif 000003
【図２】
2008237513.tif 000004
【図３】
2008237513.tif 000005
【図４】
2008237513.tif 000006
【図５】
2008237513.tif 000007
【図６】
2008237513.tif 000008